(57)【要約】【課題】  従来のＣＧシステムでは、正確な色表現には色調整と印刷を行って色を確認する作業の繰り返しが必要で、熟練度が必要で有り、操作時間を多く必要としていた。これは、使用するコンピュータ、カラープリンタ、印刷用紙及びインクの種類により同じ色データであっても印刷後の色表現が異なってしまうからである。【解決手段】  正確な色表現を必要とする領域に色をつけない、すなわちクリヤ印刷シートに印刷を行った時に透明にさせ、さらにシートの下に塗替え希望の塗り板などを置いて上から確認する事により、操作の熟練度も無く、模様替えの完成イメージが正確に、早く作成することができる。また、透明領域以外の着色領域をより鮮明にする為に、自動的に透明領域外保護シートを作成し、透明シートの下へ重ね合わせることにより、非透明領域がより鮮明に見え全体のイメージが鮮明かつ正確に作成することができる。【選択図】  図１
2006127433.tif 000002
【特許請求の範囲】
【請求項１】
コンピュータに取り込んだ建築物の画像を、グラフィックソフトを使い画像処理を行う時に、任意の領域を透明化させる操作機能を設けた建物の模様替え完成イメージのＣＧシステム。
【請求項２】
ＣＧ画像の印刷時に、プラスチックフィルムなど透明なシートを使用し、透明領域を形成しカラープリンタの出力操作機能を設けた請求項１の建物模様替え完成イメージのＣＧシステム。
【請求項３】
ＣＧ画像の印刷時に、複数の透明領域を１つの多角形に変換し、請求項２の透明領域外の透過を保護する機能を設けた請求項１の建物模様替え完成イメージのＣＧシステム。
【請求項４】
カラープリンタで印刷出力させた透明領域を持つシートを一番上にし、透明領域外の透過を保護するシートを入れ、その下に模様替え予定の塗装サンプル板、又は内装材の現物カット品などの内外装建材の現物カット品を重ね合せ、透明部分より透過させ全体のイメージを構築する請求項１あるいは請求項２あるいは請求項３記載の建物の模様替え完成イメージのＣＧシステム。
【発明の詳細な説明】
【技術分野】
【００１】本発明は、建築物の模様替え完成イメージの正確さと操作時間の短縮を図った模様替え完成イメージＣＧシステムに関する。
【技術背景】
【００２】従来の建物の模様替え完成イメージのＣＧシステムには、任意の領域へ色を付けたり建築材料の画像を貼り付ける機能がある。
【００３】従来のＣＧシステムでは、ディスプレイ画面で完成イメージの確認をおこなっている。
【００４】従来のＣＧシステムでは、カラープリンタで印刷した印刷物の色や建築材料により建築主（施主）が完成イメージを確認している。
【００５】従来のＣＧシステムでは、ディスプレイ画面の画像や印刷物において、色が建築材料の現物と合わない時には、色調整を色が合うまで時間をかけておこなっている。
【発明の開示】
【発明が解決しようとする課題】
【００６】以上に述べた従来の建物の模様替え完成イメージのＣＧシステムでは、使用するコンピュータ、カラープリンタ、印刷用紙及びインクの種類により印刷した色と本来印刷したい色と食い違ってしまい正確な色表現をするには、色を調整しそのたびに印刷をする時間と熟練度が必要である。【００７】本発明は、このような従来のＣＧシステムが有していた問題を解決しようとするものであり、建物の模様替え完成イメージのＣＧの正確な色表現を、熟練度を要さずにきわめて短時間で表現することを目的とするものである。【００８】そして本発明は上記目的を達成するために、正確な色合わせが必要な領域に色をつけない、すなわち透明化をグラフィックソフト操作時に透明化処理データを入力する事により実現するものである。【００９】また、第２の課題解決手段は透明な領域と透明以外の色を印刷させるための透明フィルムを使い、カラープリンタで印刷させるものである。【０１０】また、第３の課題解決手段は印刷した透明フィルムを一番上に、その下に模様替え希望の塗装や、内装クロスなどの建築材料のサンプル板を重ね合わせ、透明領域の下の建築材料が見えることにより正確な模様替えの完成イメージを実現するものである。【０１１】さらに、より完成度を高めるため、透明フィルムの透明領域と建築材料のサンプル板との間に、複数の多角形から構成される透明領域以外を鮮明にする仕組み（透明領域外保護シート）を備える。【０１２】透明領域外保護シートは、透明領域を自動的に可能な限り無駄なく１個の多角形に変換し、白紙に印刷、多角形を切り抜き作成する。【０１３】透明領域外保護シートを、建築材料のサンプル板と透明フィルムの間に差し込み、色合わせする必要がない部分の色の変化をなくすことを目的とし、出来上がりの結果の完成度を高めるものである。
【課題を解決するための手段】
【０１４】複数の透明領域の頂点リストを作成する。【０１５】各領域を構成する辺同士の交点も頂点リストへ追加する。【０１６】頂点リストの中から任意の透明領域内に存在する頂点は除外する。【０１７】全点の中心を求める。【０１８】中心から１番距離が遠い点を基点とする。【０１９】基点を外周点リストとしてスタックする。【０２０】基点から中心に向けた直線に対して、左方向へ一番角度が大きい位置にある点を検索し、次点とする。【０２１】次点から基点に向けた直線に対して、基点と反対方向に一番角度が大きい位置にある点から以下の判定をする。【０２２】その次点から基点に向けた直線の左側に透明領域外を含むならば、次に角度が大きい点を次点とする。【０２３】その次点から基点に向けた直線の左側に透明領域外がない場合は、次点を外周点リストとしてスタックする。【０２４】次点を基点として、同じ考え方で次点を決定する。【０２５】上記処理を、基点にたどり着くまで行い、外周点リストに集計された点から生成する多角形を透明領域外保護シート用多角形とする。
【発明の効果】
【０２６】上述したように本発明の建物の模様替え完成イメージのＣＧシステムは、完成の仕上がりイメージを正確に表現するとともに、作成に要する時間も大幅に短縮できる。【０２７】さらに色合せを行わないので、試し印刷のためのインクや印刷用紙が不要になり費用や資源の節約になります。
【発明を実施するための最良の形態】
【０２８】以下、本発明の実施の形態を図１から図４に基づいて説明する。【０２９】図１において、模様替えの予定の建物１をデジタルカメラ２又はスチルカメラ３で撮影し、スチルカメラで撮影した画像をカラーイメージスキャナ４にてデジタル化した後、コンピュータ５に取り込む。【０３０】コンピュータ５でグラフィックソフト６を操作する時に、任意領域を透明化処理のためのデータ７を入力し、透明化処理を行う。【０３１】画像の出力は、カラープリンタ９と透明なシート１０を使いおこなう。【０３２】透明領域外保護データ８によりグラフィックソフト６の処理を行い、印刷用白紙１１へ透明領域の外周線を印刷し、透明領域外保護シート１３をつくる。【０３３】印刷された透明シート１２の下へ、透明領域外保護シート１３更にその下へ模様替え予定の建築材料の現物やサンプル１４を重ね合わせ、透明な部分から建築材料１４が見えることにより、模様替えの完成イメージを正確に表現するものである。
【図面の簡単な説明】
【０３４】
【図１】本発明の実施形態を示す構成図
【符号の説明】
【０３５】１  模様替え予定の建物
２  デジタルカメラ
３  スチルカメラ
４  カラーイメージスキャナ
５  コンピュータ
６  グラフィックソフト
７  透明化処理データ
８  透明領域外保護データ
９  カラープリンタ
１０印刷用透明シート
１１印刷用白紙
１２透明シート
１３透明領域外保護シート
１４建築材料現物又はサンプル
【図１】
2006127433.tif 000003